(57)【要約】【課題】整地体のガタつきを防止でき、騒音を低減できる農作業機を提供する。【解決手段】農作業機１は、機体２に回転可能に設けた耕耘体と、機体２に上下方向に回動可能に設けた整地体４とを備える。機体２と整地体４との間には、複数本の連結ロッド５を設ける。複数本の連結ロッド５のうちの少なくとも１本が、長さ調整可能なターンバックル51となっている。整地体４を持上状態にしたまま耕耘体で深く耕耘作業をする際には、ターンバックル51の長さ調整によって整地体４を持上状態に固定する。【選択図】図１
2014183793.tif 000002
【特許請求の範囲】
【請求項１】
走行車に連結される機体と、
この機体に回転可能に設けられた耕耘体と、
前記機体に上下方向に回動可能に設けられた整地体と、
前記機体と前記整地体との間に設けられた複数本の連結ロッドとを備え、
前記複数本の連結ロッドのうちの少なくとも１本が、長さ調整可能なロッド手段にて構成され、
前記整地体を持上状態にしたまま前記耕耘体で深く耕耘作業をする際には、前記ロッド手段の長さ調整によって前記整地体が前記機体に対して持上状態に固定される
ことを特徴とする農作業機。
【請求項２】
ロッド手段は、ターンバックルである
ことを特徴とする請求項１記載の農作業機。
【請求項３】
ターンバックルは、
互いに螺旋方向が異なる第１ねじ部および第２ねじ部を有する操作体と、
前記第１ねじ部に螺着され、前記機体に対して脱着可能な第１取付体と、
前記第２ねじ部に螺着され、前記整地体に対して脱着可能な第２取付体とを有する
ことを特徴とする請求項２記載の農作業機。
【発明の詳細な説明】
【技術分野】
【０００１】
本発明は、整地体のガタつきを防止でき、騒音を低減できる農作業機に関するものである。
【背景技術】
【０００２】
従来、例えば特許文献１に記載された農作業機が知られている。
【０００３】
この従来の農作業機は、トラクタ等の走行車に連結される機体と、この機体に回転可能に設けられた耕耘体と、機体に上下方向に回動可能に設けられた整地体と、機体と整地体との間に設けられた複数本の連結ロッドとを備え、これら複数本の各連結ロッドが、長さ調整不能なロッド部材にて構成されている。
【０００４】
そして、整地体を持上状態（板状の整地体が水平面に略沿った水平姿勢となるハイリフト状態）にしたまま耕耘体で深く耕耘作業をする際においては、ストッパ装置を用いずに、ロッド部材を用いて整地体を機体に対して固定する。
【先行技術文献】
【特許文献】
【０００５】
【特許文献１】特開２００５−２１８３１６号公報
【発明の概要】
【発明が解決しようとする課題】
【０００６】
しかしながら、連結ロッドであるロッド部材を用いて整地体を機体に対して固定した場合には、ロッド部材の前端側における孔と軸との間の隙間やロッド部材の後端側における孔と軸との間の隙間等に起因して、耕耘体の振動により整地体がガタつき、大きな騒音が発生するおそれがある。
【０００７】
本発明は、このような点に鑑みなされたもので、整地体のガタつきを防止でき、騒音を低減できる農作業機を提供することを目的とする。
【課題を解決するための手段】
【０００８】
請求項１記載の農作業機は、走行車に連結される機体と、この機体に回転可能に設けられた耕耘体と、前記機体に上下方向に回動可能に設けられた整地体と、前記機体と前記整地体との間に設けられた複数本の連結ロッドとを備え、前記複数本の連結ロッドのうちの少なくとも１本が、長さ調整可能なロッド手段にて構成され、前記整地体を持上状態にしたまま前記耕耘体で深く耕耘作業をする際には、前記ロッド手段の長さ調整によって前記整地体が前記機体に対して持上状態に固定されるものである。
【０００９】
請求項２記載の農作業機は、請求項１記載の農作業機において、ロッド手段は、ターンバックルであるものである。
【００１０】
請求項３記載の農作業機は、請求項２記載の農作業機において、ターンバックルは、互いに螺旋方向が異なる第１ねじ部および第２ねじ部を有する操作体と、前記第１ねじ部に螺着され、前記機体に対して脱着可能な第１取付体と、前記第２ねじ部に螺着され、前記整地体に対して脱着可能な第２取付体とを有するものである。
【発明の効果】
【００１１】
本発明によれば、整地体を持上状態にしたまま耕耘体で深く耕耘作業をする際には、ロッド手段の長さ調整によって整地体が機体に対して持上状態に固定されるため、整地体のガタつきを防止でき、騒音を低減できる。
【図面の簡単な説明】
【００１２】
【図１】本発明の一実施の形態に係る農作業機の平面図である。
【図２】同上農作業機の側面図である。
【図３】同上農作業機の整地体持上状態時の平面図である。
【図４】同上農作業機の整地体持上状態時の側面図である。
【図５】同上農作業機の整地体持上状態時の部分平面図である。
【図６】同上農作業機のターンバックル（ロッド手段）の側面図である。
【発明を実施するための形態】
【００１３】
本発明の一実施の形態について図面を参照して説明する。
【００１４】
図中の１は農作業機で、この農作業機１は、走行車であるトラクタ（図示せず）の後部に連結され、トラクタの走行により圃場を前方（進行方向）に移動しながら耕耘整地作業等を行うものである。
【００１５】
農作業機１は、図１および図２等に示されるように、トラクタの後部の３点リンクヒッチ部（作業機昇降支持部）に脱着可能に連結される機体２と、この機体２に回転可能に設けられ耕耘作業をする耕耘体３と、機体２に上下方向に回動可能に設けられ耕耘体３の後方で整地作業をする整地体４と、機体２と整地体４との間に設けられこの整地体４を支持する複数本、すなわち例えば左右方向に並ぶ４本の棒状の連結ロッド５とを備えている。
【００１６】
機体２は、左右方向長手状のフレーム部６を有し、このフレーム部６の長手方向中央部には前後方向の入力軸７が回転可能に設けられている。入力軸７は、トラクタのＰＴＯ軸にジョイント等を介して接続され、トラクタ側からの動力を農作業機１側へ入力する。
【００１７】
フレーム部６の長手方向一端部である左端部には伝動ケース部であるチェーンケース部８が設けられ、フレーム部６の長手方向他端部である右端部にはブラケット部９が設けられている。
【００１８】
そして、互いに離間対向する左右のチェーンケース部８およびブラケット部９間には、入力軸７側からの動力によって所定方向に回転しながら耕耘作業をする耕耘体３が回転可能に架設されている。耕耘体３は、左右方向の回転軸11と、この回転軸11に取り付けられた複数の耕耘爪12とを有している。
【００１９】
また、機体２は、耕耘体３の上方部を覆う左右方向長手状で板状のカバー部10を有している。そして、カバー部10の後端部には、耕耘体３の後方で圃場面に接地して整地作業をする左右方向長手状で板状の整地体（均平板）４が複数の蝶番13を介して上下方向に回動可能に設けられている。つまり、整地体４の前端部が機体２のカバー部10の後端部に左右方向の軸14を介して回動可能に取り付けられ、この整地体４は、通常状態では前端側の軸14を中心として後端側が上下動するようにカバー部10に対して上下方向に回動可能となっている（図２参照）。
【００２０】
整地体４は、耕耘体３の後方で整地作業をする左右方向長手状で板状の整地本体部16を有し、この整地本体部16の上面における左右方向に間隔をおいた複数箇所、例えば４箇所には、ロッド連結部17が突設されている。
【００２１】
各ロッド連結部17には、機体２と整地体４とを連結する前後方向長手状の連結ロッド５が短円柱状のタンブラ等の回動部材18を介して連結されている。なお、各ロッド連結部17は、例えば互いに離間対向する長手状の左右１対の対向板19を有している。
【００２２】
そして、図１および図２に示されるように、各連結ロッド５の長手方向中間部は、両対向板19の支持孔19aにて回動可能に支持された回動部材18の挿通孔18aに摺動可能に挿通されている。また、各連結ロッド５の前端部は、機体２のフレーム部６に突設されたロッド連結部20に左右方向の軸21を介してこの軸21を中心に回動可能に連結されている。
【００２３】
つまり、互いに対向する機体２のロッド連結部20の孔22および連結ロッド５の前端部の孔23に、軸方向一端に鍔部21aを有する軸（止めピン）21が挿脱可能に挿入され、この軸21が抜止ピン（Ｒピン）24によって両孔22，23から抜けないようになっている。
【００２４】
なお、連結ロッド５の前端部は機体２のロッド連結部20に対して脱着可能に取り付けられており、この連結ロッド５の前端部をロッド連結部20から取り外す場合には、抜止ピン24を軸21のピン用孔から外した後に、その軸21を両孔22，23から抜く。
【００２５】
また、連結ロッド５の外周側には２つのコイル状のばね26，27が配設され、この各ばね26，27が当接するばね受け28，29が連結ロッド５に脱着可能に取り付けられている。そして、整地体フリー状態での通常作業時（通常の耕耘整地作業時）には、整地体４は、機体２に対して上下方向に回動可能で、ばね26の付勢力に基づく所望の接地圧をもって圃場面に接地して整地作業をする。
【００２６】
さらに、整地体４を機体２に対して水平状の持上状態（板状の整地体４が水平面に略沿った水平姿勢となるハイリフト状態）に固定するためのストッパ装置であるストッパ体30が回動部材18の外周側に脱着可能に取り付けられている。
【００２７】
ストッパ体30は、連結ロッド５のピン用孔（図示せず）および回動部材18のピン用孔18bに挿入されその連結ロッド５の回動部材18に対する移動（摺動）を規制するストッパピン31と、このストッパピン31による移動規制を解除する際に操作される操作レバー32とを有している。
【００２８】
そして、耕耘体３および整地体４等のメンテナンスや洗浄をする際には、ストッパ体30を使用して整地体４を水平状の持上状態に固定すればよいが（特許文献１の図１を参照）、整地体４を水平状の持上状態にしたまま耕耘体３で通常作業時よりも深く耕耘作業をする際、つまり整地体持上状態での深耕作業時には、ストッパピン31の損傷を回避するために、図３ないし図５に示すように、ストッパ体30を用いずに、連結ロッド５を使用して整地体４を持上状態に固定する。
【００２９】
この場合、ストッパ体30のほか、ばね26，27、ばね受け28，29および回動部材18を取り外す。そして、連結ロッド５の後端部は、その前端部と同じように、軸（止めピン）36および抜止ピン（Ｒピン）37を用いて、整地体４のロッド連結部17の後端部に脱着可能に取り付ける。
【００３０】
具体的には、整地体４を持上状態になるまで機体２に対して軸14を中心として上方に回動させてから、連結ロッド５の後端部に位置する円筒状の筒状部40を、整地体４のロッド連結部17の両対向板19の後端部間に架設された板状の位置決め部材41の側面視略Ｃ字状の引掛受け部42に引っ掛けて、整地体４のロッド連結部17の孔44と連結ロッド５の筒状部40の孔45とを互いに対向させる。次いで、互いに対向する両孔44，45に鍔部36aを有する軸36を挿脱可能に挿入し、この挿入した軸36のピン用孔に抜止ピン37を挿脱可能に挿入する。
【００３１】
なお、通常の耕耘整地作業をする際には、連結ロッド５の後端部を整地体４のロッド連結部17の後端部から取り外す等して、図１および図２に示すもとの通常状態に戻す。
【００３２】
ここで、図１、図３および図５等から明らかなように、この農作業機１では、複数本である４本の連結ロッド５のうちの少なくとも１本、すなわち例えば内側の２本が、長さ調整可能なロッド手段であるターンバックル51にて構成され、かつ、残りの外側の２本が長さ調整不能なロッド部材52にて構成されている。
【００３３】
そして、整地体４を水平状の持上状態にしたまま耕耘体３で深く耕耘作業をする際には、長手方向に沿って伸縮可能な伸縮部材であるターンバックル51の長さ調整によって整地体４が機体２に対してガタつかないように所定の持上状態に固定される。なお、ターンバックル51は、通常作業時には、ロッド部材52と同じ働きをする。
【００３４】
ターンバックル51は、図６に示されるように、互いに螺旋方向が異なる第１ねじ孔部53および第２ねじ孔部54を長手方向両端部に有する回転操作可能な長手状の操作体55と、第１ねじ孔部53に螺着され機体２のロッド連結部20に対して軸21を介して脱着可能な第１取付体56と、第２ねじ孔部54に螺着され整地体４のロッド連結部17に対して軸36を介して脱着可能な第２取付体57とを有している。
【００３５】
操作体55は、作業者（操作者）が手で把持して回転操作可能なもので、軸方向両端面が開口した細長い円筒状の筒状部60を有し、この筒状部60の軸方向一端部には第１ナット部61が溶接等により固設され、この筒状部60の軸方向他端部には第２ナット部62が溶接等により固設されている。
【００３６】
第１ナット部61の内周側に第１ねじ部である第１ねじ孔部53が形成され、第２ナット部62の内周側に第２ねじ部である第２ねじ孔部54が形成され、これら第１ねじ孔部53および第２ねじ孔部54は互いに螺旋方向が異なっている。つまり、第１ねじ孔部53のねじ溝の螺旋方向と、第２ねじ孔部54のねじ溝の螺旋方向とが互いに逆になっている。
【００３７】
第１取付体56は、操作体55の前端部の第１ねじ孔部53に螺合されたねじ部であるねじ軸部66と、このねじ軸部66に固設された筒状部67とを有している。ねじ軸部66の外周部には、第１ねじ孔部53のねじ溝と螺合するねじ溝が形成されている。筒状部67には、止めピンである軸21が挿脱可能に挿入される孔23が形成されている。
【００３８】
第２取付体57は、操作体55の後端部の第２ねじ孔部54に螺合されたねじ部であるねじ軸部68と、このねじ軸部68に固設された筒状部40とを有している。ねじ軸部68の外周部には、第２ねじ孔部54のねじ溝と螺合するねじ溝が形成されている。筒状部40には、止めピンである軸36が挿脱可能に挿入される孔45が形成されている。
【００３９】
そして、操作体55を一方向に回転操作すると、第１取付体56および第２取付体57が互いに離反する方向に移動し、その結果、操作体55の操作に応じてターンバックル51が伸びる。また、操作体55を他方向に回転操作すると、第１取付体56および第２取付体57が互いに接近する方向に移動し、その結果、操作体55の操作に応じてターンバックル51が縮む。
【００４０】
一方、ロッド部材52は、図５等に示されるように、前後方向に長手方向を有する細長い棒状部71と、この棒状部71の後端部に固設された筒状部40とを有している。棒状部71の前端部には、止めピンである軸21が挿脱可能に挿入される孔23が形成されている。筒状部40には、止めピンである軸36が挿脱可能に挿入される孔45が形成されている。
【００４１】
次に、農作業機１の作用等を説明する。
【００４２】
整地体フリー状態での通常作業時には、図１および図２に示すように、連結ロッド（ターンバックル51およびロッド部材52）５は、回動部材18の挿通孔18aに摺動可能に挿通された状態で、この回動部材18を介して整地体４を支持している。このため、整地体４は、機体２に対して上下方向に回動可能となっている。
【００４３】
そして、トラクタの走行により農作業機１が圃場を前方に移動すると、耕耘体３が耕耘作業を行い、この耕耘体３の後方で整地体４が整地作業を行う。
【００４４】
また、整地体持上状態での深耕作業時には、図３ないし図５に示すように、連結ロッド（ターンバックル51およびロッド部材52）５は、整地体４を固定的に支持して所定の持上状態に保持している。
【００４５】
つまり、ターンバックル51の前端部の第１取付体56が機体２のロッド連結部20に軸21を介して取り付けられ、かつ、ターンバックル51の後端部の第２取付体57が整地体４のロッド連結部17の後端部に軸36を介して取り付けられている。同様に、ロッド部材52の前端部が機体２のロッド連結部20に軸21を介して取り付けられ、かつ、ロッド部材52の後端部が整地体４のロッド連結部17の後端部に軸36を介して取り付けられている。
【００４６】
また、操作体55の回転操作によるターンバックル51の縮み動作により、整地体４が若干たわみ変形するとともに、このターンバックル51の長さ調整によって整地体４が機体２に対してガタつかないように持上状態に固定されている。
【００４７】
なお、操作体55を反対方向に回転操作してターンバックル51を伸び動作させた場合であっても、整地体４が機体２に対してガタつかないように持上状態に固定される。
【００４８】
そして、トラクタの走行により整地体持上状態の農作業機１が圃場を前方に移動すると、整地体４が連結ロッド５によって持上状態に固定されたまま、耕耘体３が回転して深く耕耘作業を行う。
【００４９】
この整地体持上状態での深耕作業の際、耕耘体３が振動するが、連結ロッド５の前端側における孔22，23と軸21との間の隙間や連結ロッド５の後端側における孔44，45と軸36との間の隙間等に起因して整地体４がガタつくようなことはない。
【００５０】
そして、このような農作業機１によれば、整地体４を水平状の持上状態にしたまま耕耘体３で通常作業時よりも深く耕耘作業をする際には、ターンバックル51の長さ調整（伸びまたは縮み）によって整地体４が機体２に対して持上状態に固定されるため、各部の孔ガタ等を無くすことができ、よって、整地体持上状態での深耕作業時における整地体４のガタつきを防止でき、騒音を低減できる。
【００５１】
また、ターンバックル51の操作体55を回転操作するだけで、整地体４を機体２に対してガタつかないように持上状態に適切に固定でき、整地体４のガタつきを適切に防止できる。
【００５２】
なお、上記実施の形態では、４本の連結ロッド５のうちの２本がターンバックル51にて構成された場合について説明したが、例えば４本すべてがターンバックル51である構成や１本のみがターンバックル51である構成等でもよく、ターンバックル51の本数は任意である。
【００５３】
また、ターンバックル51の本体である操作体55は、筒状部60の両端部にナット部61，62を溶接等で固設したものには限定されず、例えば棒状部の両端部にねじ孔部を形成したもの等でもよい。
【００５４】
さらに、操作体55は、例えば前端部または後端部の回転ハンドル部の操作により回転するもの等でもよい。
【００５５】
また、例えば操作体55が互いに螺旋方向が異なる第１ねじ軸部および第２ねじ軸部を有し、第１取付体56が第１ねじ軸部に螺合されたねじ孔部を有し、第２取付体57が第２ねじ軸部に螺合されたねじ孔部を有する構成等でもよい。
【００５６】
さらに、例えば操作体55の長手方向中間部に形成した孔部に棒部材を取り付け、この取り付けた棒部材によって操作体55を容易に回転操作できるようにしてもよい。
【００５７】
また、長さ調整可能なロッド手段は、ターンバックルには限定されず、他の伸縮部材等からなるものでもよい。
【符号の説明】
【００５８】
１    農作業機
２    機体
３    耕耘体
４    整地体
５    連結ロッド
51    ロッド手段であるターンバックル
53    第１ねじ部である第１ねじ孔部
54    第２ねじ部である第２ねじ孔部
55    操作体
56    第１取付体
57    第２取付体
【図１】
2014183793.tif 000003
【図２】
2014183793.tif 000004
【図３】
2014183793.tif 000005
【図４】
2014183793.tif 000006
【図５】
2014183793.tif 000007
【図６】
2014183793.tif 000008